(57)【要約】【課題】  簡易かつ迅速に折畳み及び展開が可能であり、紙製陳列棚の商品載せ台や台座等に用いることのできる折畳み構造と、その折畳み構造を商品載せ台や台座に採用した紙製陳列棚を提供する。【解決手段】  本発明の折畳み構造は、本体と本体に設けられた回動体と回動体を支持する支持体を備え、回動体は本体と平行になる倒伏方向及び本体と垂直になる展開方向に回動可能であり、支持体は本体と回動体の双方に固着されており、回動体が展開方向の所定角度まで回動すると、回動体の展開方向先方側と本体との間に前記支持体が張り出して回動体が所定角度以上回動しないように規制され、回動体が倒伏方向に回動すると、前記張り出しが解除される構造である。本発明の紙製陳列棚は、本体と商品載せ台の間又は／及び本体と台座の間に前記折畳み構造の支持体が設けられたものである。【選択図】図１
2019134900.tif 000002
【特許請求の範囲】
【請求項１】
本体に取り付けられた回動体の折畳み構造において、
前記本体と、当該本体に回動可能に設けられた回動体と、当該回動体を支持する支持体を備え、
前記回動体は本体と平行になる倒伏方向及び本体と垂直になる展開方向に回動可能であり、
前記支持体は前記本体と前記回動体の双方に固着されており、
前記回動体が展開方向の所定角度まで回動すると、回動体の展開方向先方側と本体との間に前記支持体が張り出して当該回動体が所定角度以上回動しないように規制され、前記回動体が倒伏方向に回動すると、前記張り出しが解除される、
ことを特徴とする折畳み構造。
【請求項２】
請求項１記載の折畳み構造において、
支持体は回動体に固着された回動体側固着面と、本体に固着された本体側固着面と、折曲げ部を備えた屈曲面を備え、
前記屈曲面は回動体側固着面と本体側固着面の間に設けられ、
前記支持体は、前記回動体が展開方向の所定角度まで回動すると、屈曲面が前記折曲げ部で折れ曲がって回動体側固着面と本体側固着面の間に張り出して当該回動体が所定角度以上回動しないように規制される、
ことを特徴とする折畳み構造。
【請求項３】
本体に商品載せ台が設けられた紙製陳列棚において、
前記本体と商品載せ台の間に商品載せ台を支持する支持体が設けられ、
前記商品載せ台は本体と平行になる倒伏方向及び本体と垂直になる展開方向に回動可能であり、
前記支持体は前記本体と前記商品載せ台の双方に固着され、前記商品載せ台が展開方向の所定角度まで回動すると、当該商品載せ台の展開方向先方側と本体との間に張り出して当該商品載せ台が所定角度以上回動しないように規制され、前記商品載せ台が倒伏方向に回動すると、前記張り出しが解除される、
ことを特徴とする紙製陳列棚。
【請求項４】
本体に台座が設けられた紙製陳列棚において、
前記本体と台座の間に台座を支持する支持体が設けられ、
前記台座は本体と平行になる倒伏方向及び本体と垂直になる展開方向に回動可能であり、
前記支持体は前記本体と前記台座の双方に固着され、前記台座が展開方向の所定角度まで回動すると、当該台座の展開方向先方側と本体との間に張り出して当該台座が所定角度以上回動しないように規制され、前記台座が倒伏方向に回動すると、前記張り出しが解除される、
ことを特徴とする紙製陳列棚。
【請求項５】
本体に商品載せ台及び台座が設けられた紙製陳列棚において、
前記本体と商品載せ台の間に商品載せ台を支持する第１の支持体が設けられ、
前記商品載せ台は本体と平行になる倒伏方向及び本体と垂直になる展開方向に回動可能であり、
前記第１の支持体は前記本体と前記商品載せ台の双方に固着され、前記商品載せ台が展開方向の所定角度まで回動すると、当該商品載せ台の展開方向先方側と本体との間に張り出して当該商品載せ台が所定角度以上回動しないように規制され、前記商品載せ台が倒伏方向に回動すると、前記張り出しが解除され、
前記本体と台座の間に台座を支持する第２の支持体が設けられ、
前記台座は本体と平行になる倒伏方向及び本体と垂直になる展開方向に回動可能であり、
前記第２の支持体は前記本体と前記台座の双方に固着され、前記台座が展開方向の所定角度まで回動すると、当該台座の展開方向先方側と本体との間に張り出して当該台座が所定角度以上回動しないように規制され、前記台座が倒伏方向に回動すると、前記張り出しが解除される、
ことを特徴とする紙製陳列棚。
【請求項６】
請求項３から請求項５のいずれか１項に記載の紙製陳列棚において、
支持体は、商品載せ台に固着された載せ台側固着面又は／及び台座に固着された台座側固着面と、本体に固着された本体側固着面と、折曲げ部を備えた屈曲面を備え、
前記屈曲面は載せ台側固着面と本体側固着面との間又は／及び台座側固着面と本体側固着面との間に設けられ、
前記支持体は、前記商品載せ台又は／及び台座が展開方向の所定角度まで回動すると、屈曲面が前記折曲げ部で折れ曲がって載せ台側固着面と本体側固着面との間又は／及び台座側固着面と本体側固着面との間に張り出して当該商品載せ台又は／及び台座が所定角度以上回動しないように規制される、
ことを特徴とする紙製陳列棚。
【発明の詳細な説明】
【技術分野】
【０００１】
本発明は、化粧品や飲食物といった各種商品（物品）の陳列や展示に用いる、段ボール（プラスチックダンボールを含む）やボール紙などの素材で構成された陳列棚（本願において、プラスチック製のものも含めて「紙製陳列棚」という）の商品載せ台や台座等の構造として好適に用いることのできる折畳み構造と、当該折畳み構造を商品載せ台や台座に採用した紙製陳列棚に関する。
【背景技術】
【０００２】
化粧品や飲食物といった各種商品の陳列や展示には、商品ディスプレイやＰＯＰディスプレイと呼ばれる紙製陳列棚が用いられている。紙製陳列棚の一種に、本体の前面側に一又は二以上の商品載せ台を備えたもの（特許文献１）が知られている。
【先行技術文献】
【特許文献】
【０００３】
【特許文献１】特許第４９６３８５７号公報
【発明の概要】
【発明が解決しようとする課題】
【０００４】
前記特許文献１記載の紙製陳列棚の商品載せ台は、使用時には両側面板を内側に押し込む作業が必要であり、折畳み時には両側面板を外側に広げる作業が必要であるため、準備や片付けに手間がかかるという難点がある。
【０００５】
また、特許文献１記載の紙製陳列棚に限らず、従来の紙製陳列棚の商品載せ台の構造は商品載せ台専用の構造であることが多く、紙製陳列棚の足場の構造など、商品載せ台以外の用途に利用できないという難点がある。
【０００６】
本発明の解決課題は、前記従来の課題を解決することができ、紙製陳列棚の商品載せ台のほか、紙製陳列棚の台座等の構造としても好適に用いることのできる折畳み構造と、当該折畳み構造を商品載せ台や台座に採用した紙製陳列棚を提供することにある。
【課題を解決するための手段】
【０００７】
（折畳み構造）
本発明の折畳み構造は、本体と本体に設けられた回動体と回動体を支持する支持体を備え、回動体は本体と平行になる倒伏方向及び本体と垂直になる展開方向に回動可能であり、支持体は本体と回動体の双方に固着されており、回動体が展開方向の所定角度まで回動すると、回動体の展開方向先方側と本体との間に前記支持体が張り出して回動体が所定角度以上回動しないように規制され、回動体が倒伏方向に回動すると、前記張り出しが解除される構造である。本願において、「倒伏方向」とは回動体を本体に対して平行にする回転方向をいい、「展開方向」とは回動体を本体に対して垂直にする回転方向をいう。
【０００８】
（紙製陳列棚）
本発明の紙製陳列棚は、本体と商品載せ台の間又は／及び本体と台座の間に前記折畳み構造の支持体が設けられたものである。
【発明の効果】
【０００９】
本発明の折畳み構造及び紙製陳列棚は、回動体（紙製陳列棚の場合は商品載せ台や台座など。以下同じ。）をつぶすことなく保形状態で倒伏方向及び展開方向に回動可能であるため、使用時に回動体を組み立てる必要がなく、準備や片付けに手間がかからない。
【図面の簡単な説明】
【００１０】
【図１】本発明の折畳み構造を商品載せ台の構造に適用した紙製陳列棚の一例を示すものであって、（ａ）は商品載せ台を展開方向に回動させた状態の斜視図、（ｂ）は商品載せ台を倒伏方向に回動させた状態の斜視図。
【図２】（ａ）は図１（ａ）の側面図、（ｂ）は図１（ｂ）の側面図。
【図３】本発明の折畳み構造の説明図であって、（ａ）は商品載せ台を展開方向に回動させた状態を示すもの、（ｂ）は商品載せ台を倒伏方向に回動させた状態を示すもの。
【図４】商品載せ台を展開方向に回動させた状態の詳細説明図。
【図５】商品載せ台を倒伏方向に回動させた状態の詳細説明図。
【図６】図１（ａ）（ｂ）の紙製陳列棚の背面側斜視図。
【図７】本発明の折畳み構造を台座の構造に適用した紙製陳列棚の一例を示すものであって、台座を展開方向に回動させた状態を示す斜視図。
【図８】図７の紙製陳列棚の台座を倒伏方向に回動させた状態を示す斜視図。
【図９】台座を展開方向に回動させた状態の詳細説明図。
【図１０】台座を倒伏方向に回動させた状態の詳細説明図。
【図１１】本発明の折畳み構造を商品載せ台の構造に適用した紙製陳列棚の他例を示すものであって、（ａ）は商品載せ台を展開方向に回動させた状態の斜視図、（ｂ）は商品載せ台を倒伏方向に回動させた状態の斜視図。
【図１２】（ａ）は図１１（ａ）の側面図、（ｂ）は図１１（ｂ）の側面図。
【図１３】本発明の折畳み構造の説明図であって、（ａ）は商品載せ台を展開方向に回動させた状態を示すもの、（ｂ）は商品載せ台を倒伏方向に回動させた状態を示すもの。
【図１４】商品載せ台を展開方向に回動させた状態の詳細説明図。
【図１５】商品載せ台を倒伏方向に回動させた状態の詳細説明図。
【図１６】本発明の折畳み構造を台座の構造に適用した紙製陳列棚の他例を示すものであって、台座を展開方向に回動させた状態を示す斜視図。
【図１７】図１６の紙製陳列棚の台座を倒伏方向に回動させた状態を示す斜視図。
【図１８】台座を展開方向に回動させた状態の詳細説明図。
【図１９】台座を倒伏方向に回動させた状態の詳細説明図。
【発明を実施するための形態】
【００１１】
（実施形態１）
本発明の折畳み構造の第１の実施形態を、図１〜図６を参照して説明する。この実施形態は、本発明の折畳み構造を紙製陳列棚の商品載せ台の構造に適用した場合の例である。図１〜図６において、１は本体、２は商品載せ台、３は支持体である。図１〜図６に示す例では、商品載せ台２が本発明の回動体に相当する。
【００１２】
前記本体１は、商品載せ台２や台座１２（図１〜図６には示していない）を取り付ける部分であり紙製陳列棚の基体となる部分である。一例として図１（ａ）（ｂ）に示す本体１は縦長方形状のパネルである。本体１の形状はこれ以外であってもよい。本体１は、段ボールやボール紙、プラスチック段ボールのような折り曲げ可能な材料（紙製材料）を複数枚接着剤等で貼りあわせて製作するものであり、各面部が一又は二以上の材料で構成される。本願では段ボールで製作された紙製陳列棚を一例としている。なお、本体１の上面には、吊り紐Ｓが取り付けてあるが、吊り紐Ｓは必要に応じて設ければよく、不要な場合には省略することができる。
【００１３】
前記本体１の前面には商品載せ台２が上下方向に間隔をあけて二段設けられている。商品載せ台２は商品を載せるための台である。商品載せ台２は二段より多くても少なくてもよい。一例として図１（ａ）（ｂ）に示す商品載せ台２は、上面２ａ、底面２ｂ、前面２ｃ、背面２ｄ、右側面２ｅ、左側面２ｆを備えた直方体の中空状であり、上面２ａに商品差込み孔２ｇが八個設けられたものである。商品載せ台２の内部には、商品差込み孔２ｇと同様の孔を八個備えた内板（図示しない）が設けられている。背面２ｄには二枚の挿入片２ｈ（図６）が本体１側に向けて突設されている。図６に示すように、二枚の挿入片２ｈは、本体１に設けられた差込みスリット１ａに差し込まれ、本体１の裏面側に突出した部分が折り曲げられて本体１の背面の裏面に固定されている。本体１と同様、商品載せ台２も一枚又は複数枚の紙製材料（ここでは段ボール）を折り曲げて構成することができる。図示する商品載せ台２は一例であり、これ以外の形状や構造とすることもできる。
【００１４】
前記支持体３は、商品載せ台２を所定角度以上下向きに回転しないように規制するものである。一例として図１〜図５に示す支持体３は本体１の前面に固着される本体側固着面３ａと、本体側固着面３ａの下端側に設けられた回動面３ｂと、回動面３ｂの下端側に設けられた傾斜面３ｃと、傾斜面３ｃの上端側に設けられた載せ台側固着面３ｄと、傾斜面３ｃ及び載せ台側固着面３ｄの幅方向外側に設けられた側面３ｅを備えている。
【００１５】
本体側固着面３ａと回動面３ｂの間には第１の折曲げ部４ａが、回動面３ｂと傾斜面３ｃの間には第２の折曲げ部４ｂが、傾斜面３ｃと載せ台側固着面３ｄの間には第３の折曲げ部４ｃが設けられている。両側面３ｅは側面視直角三角形状であり、頂点と底辺の中点とを結ぶ位置に第４の折曲げ部４ｄが設けられている。商品載せ台２は一枚又は複数枚の紙製材料（ここでは段ボール）を折り曲げて構成することができる。
【００１６】
回動面３ｂと傾斜面３ｃの幅方向中央部分には、縦長で先端が弧状の第１の開口部３ｆが設けられている。第１の開口部３ｆは回動面３ｂと傾斜面３ｃの双方に連続する部分に設けられている。第１の開口部３ｆは、本体１の前面側に設けられた本体側係止片５ａが通過できる広さ及び形状としてある。傾斜面３ｃの載せ台側固着面３ｄ側の端辺には第２の開口部３ｇが設けられている。当該第２の開口部３ｇは、載せ台固着面３ｄに設けられた支持体側係止片５ｂが通過できる広さ及び形状としてある。本体側係止片５ａと支持体側係止片５ｂには環状の付勢ゴム６が一本係止され、商品載せ台２が展開方向に回動する向きに付勢されるようにしてある。本体側係止片５ａ、支持体側係止片５ｂ及び付勢ゴム６は必要に応じて設ければよく、不要な場合には省略することができる。
【００１７】
前記支持体３は、図２（ａ）、図３（ａ）及び図４のように、商品載せ台２を所定角度（図示する例では本体１に対して直角又は略直角となる角度）まで展開方向に回動させた際には三角柱状となる。この場合、回動面３ｂは本体１に固着された本体側固着面３ａと直線状となり、回動面３ｂに連続する傾斜面３ｃは斜め上向き（前上がり）となる。また、両側面３ｅは第４の折曲げ部４ｄで屈曲することなく平坦な状態となる。反対に、図２（ｂ）、図３（ｂ）及び図５のように、商品載せ台２を倒伏方向に回動させた際には、回動面３ｂが第１の折曲げ部４ａで回動して立ち上がると共に、両側面３ｅが第４の折曲げ部４ｄで屈曲して回動面３ｂに連続する傾斜面３ｃが商品載せ台２の裏面側に引き上げられる。
【００１８】
説明の便宜上、この実施形態では台座を省略しているが、この実施形態の紙製陳列棚には台座を設けることもできる。この場合、本発明の折畳み構造を適用した台座を設けることも、それ以外の構造を適用した台座を設けることもできる。本発明の折畳み構造を適用した台座として、後述する実施形態２や実施形態４に例示するような台座を設けることができる。
【００１９】
（実施形態２）
本発明の折畳み構造の第２の実施形態を、図７〜図１０を参照して説明する。この実施形態は、本発明の折畳み構造を紙製陳列棚の台座の構造に適用した場合の例である。図７〜図１０において、１１は本体、１２は台座、１３は支持体である。図７〜図１０に示す例では、台座１２が本発明の回動体に相当する。以下、実施形態１と共通する部分については説明を省略又は簡略化し、実施形態１と異なる部分を中心に説明をする。なお、本体１１は実施形態１における本体１に相当し、支持体１３は実施形態１における支持体３に相当する。
【００２０】
前記本体１１は、台座１２や商品載せ台（図７〜図１０には示していない）を取り付ける部分であり紙製陳列棚の基体となる部分である。本体１１には実施形態１の本体１と同様のものを用いることができる。
【００２１】
前記本体１１の下端側には台座１２が設けられている。台座１２は本体１１を支えるベースとなる部材である。一例として図７〜図１０に示す台座１２は方形状の平板である。台座１２は本体１１の底面側に回動可能に取り付けられている。台座１２の形状は一例であり、これ以外であってもよい。
【００２２】
前記支持体１３は、台座１２を所定角度以上上向きに回転しないように規制するものである。一例として図７〜図１０に示す支持体１３は本体１１の前面に固着される本体側固着面１３ａと、本体側固着面１３ａの上端側に設けられた回動面１３ｂと、回動面１３ｂの上端側に設けられた傾斜面１３ｃと、傾斜面１３ｃの下端側に設けられた台座側固着面１３ｄと、傾斜面１３ｃ及び台座側固着面１３ｄの幅方向外側に設けられた側面１３ｅを備えている。
【００２３】
本体側固着面１３ａと回動面１３ｂの間には第１の折曲げ部１４ａが、回動面１３ｂと傾斜面１３ｃの間には第２の折曲げ部１４ｂが、傾斜面１３ｃと載せ台側固着面１３ｄの間には第３の折曲げ部１４ｃが設けられている。両側面１３ｅは側面視直角三角形状であり、頂点と底辺の中点とを結ぶ位置に第４の折曲げ部１４ｄが設けられている。台座１２は一枚又は複数枚の紙製材料（ここでは段ボール）を折り曲げて構成することができる。
【００２４】
回動面１３ｂの幅方向中央部分には、幅方向に横長の第１の開口部１３ｆが設けられている。当該第１の開口部１３ｆは、本体１の前面側に設けられた本体側係止片１５ａが通過できる広さ及び形状としてある。傾斜面１３ｃの台座側固着面１３ｄ側の端辺の幅方向中央部分には第２の開口部１３ｇが設けられている。当該第２の開口部１３ｇは、台座側固着面１３ｄに設けられた支持体側係止片１５ｂが通過できる広さ及び形状としてある。本体側係止片１５ａと支持体側係止片１５ｂには環状の付勢ゴム１６が一本係止され、台座１２が展開方向に回動する向きに付勢されるようにしてある。本体側係止片１５ａ、支持体側係止片１５ｂ及び付勢ゴム１６は必要に応じて設ければよく、不要な場合には省略することができる。
【００２５】
前記支持体１３は、図７及び図９のように、台座１２を所定角度（図示する例では本体１に対して直角又は略直角となる角度）まで展開方向に回動させた際には三角柱状となる。この場合、回動面１３ｂは本体１１に固着された本体側固着面１３ａと直線状となり、回動面１３ｂに連続する傾斜面１３ｃは斜め下向き（前下がり）となる。また、両側面１３ｅは第４の折曲げ部１４ｄで屈曲することなく平坦な状態となる。反対に、図８及び図１０のように、台座１２を倒伏方向に下向きに回動させた際には、回動面１３ｂが第１の折曲げ部１４ａで回動して台座１２側に引き寄せられると共に、両側面１３ｅが第４の折曲げ部１４ｄで屈曲して回動面１３ｂに連続する傾斜面１３ｃが台座１２の表面側に引き寄せられる。
【００２６】
説明の便宜上、この実施形態では商品載せ台を省略しているが、この実施形態の紙製陳列棚には一段又は二段以上の商品載せ台を設けることもできる。この場合、本発明の折畳み構造を適用した商品載せ台を設けることも、それ以外の構造を適用した商品載せ台を設けることもできる。本発明の折畳み構造を適用した商品載せ台を設ける場合、前記実施形態１や後記実施形態３に例示するような商品載せ台を設けることができる。
【００２７】
（実施形態３）
本発明の折畳み構造の第３の実施形態を、図１１〜図１５を参照して説明する。この実施形態は、本発明の折畳み構造を紙製陳列棚の商品載せ台の構造に適用した場合の他例である。図１１〜図１５において、２１は本体、２２は商品載せ台、２３は支持体である。図１１〜図１５に示す例では、商品載せ台２２が本発明の回動体に相当する。
【００２８】
前記本体２１は、商品載せ台２２や台座（図１１〜図１５には示していない）を取り付ける部分であり紙製陳列棚の基体となる部分である。本体２１には実施形態１の本体１や実施形態２の本体１１と同様のものを用いることができる。
【００２９】
前記本体２１の前面には商品載せ台２２が上下方向に間隔をあけて二段設けられている。商品載せ台２２は商品を載せるための台である。商品載せ台２２は二段より多くても少なくてもよい。一例として図１１（ａ）（ｂ）に示す商品載せ台２２は、上面２２ａ、底面２２ｂ、前面２２ｃ、背面２２ｄ、右側面２２ｅ、左側面２２ｆを備えた直方体の中空状であり、上面２２ａに商品差込み孔２２ｇが八個設けられたものである。商品載せ台２２の内部には、商品差込み孔２２ｇと同様の孔を八個備えた内板（図示しない）が設けられている。背面２２ｄには二枚の挿入片２２ｈが本体２１側に向けて突設されている。実施形態１の挿入片２ｈと同様、二枚の挿入片２２ｈは、本体２１に設けられた差込みスリット２１ａに差し込まれ、本体２１の裏面側に突出した部分が折り曲げられて本体２１の背面の裏面に固定されている。本体２１と同様、商品載せ台２２も一枚又は複数枚の紙製材料（ここでは段ボール）を折り曲げて構成することができる。図示する商品載せ台２２は一例であり、これ以外の形状や構造とすることもできる。
【００３０】
前記支持体２３は、商品載せ台２２を所定角度以上下向きに回転しないように規制するものである。一例として図１１〜図１５に示す支持体２３は本体２１の前面に固着される本体側固着面２３ａと、本体側固着面２３ａの下端側に設けられた傾斜面２３ｃと、傾斜面２３ｃの上端側に設けられた回動面２３ｂと、回動面２３ｂの上端側に設けられた載せ台側固着面２３ｄと、本体側固着面２３ａ及び傾斜面２３ｃの幅方向外側に設けられた側面２３ｅを備えている。両側面２３ｅは本体側固着面２３ａの幅方向両外側に設けられた三角形状の内側片２３１ｅと傾斜面２３ｃの幅方向両外側に設けられた三角形状の外側片２３２ｅとで構成されている。
【００３１】
本体側固着面２３ａと傾斜面２３ｃの間には第１の折曲げ部２４ａが、傾斜面２３ｃと回動面２３ｂの間には第２の折曲げ部２４ｂが、回動面２３ｂと載せ台側固着面２３ｄの間には第３の折曲げ部２４ｃが、側面２３ｅを構成する内側片２３１ｅには頂点と底辺の中点とを結ぶ位置に第４の折曲げ部２４ｄが設けられている。外側片２３２ｅは内側片２３１ｅのうち第４の折曲げ部２４ｄよりも傾斜面２３ｃ側の面に接着固定されている。商品載せ台２２は一枚又は複数枚の紙製材料（ここでは段ボール）を折り曲げて構成することができる。
【００３２】
前記支持体２３は、図１２（ａ）、図１３（ａ）及び図１４のように、商品載せ台２２を所定角度（図示する例では本体２１に対して直角又は略直角となる角度）まで展開方向に回動させた際には三角柱状となる。この場合、回動面２３ｂは商品載せ台２２に固着された載せ台側固着面２３ｄと直線状となり、回動面２３ｂに連続する傾斜面２３ｃは斜め下向きとなる。また、両側面２３ｅは内側片２３１ｅの折曲げ部２４ｄが屈曲することなく平坦な状態となり、その内側片２３１ｅの外側に外側片２３２ｅが重なる。反対に、図１２（ｂ）、図１３（ｂ）及び図１５のように、商品載せ台２２を倒伏方向に回動させた際には、回動面２３ｂが第３の折曲げ部２４ｃで回動して立ち上がると共に、両側面２３ｅの内側片が第４の折曲げ部２４ｄで屈曲して回動面２３ｂに連続する傾斜面２３ｃが商品載せ台２２の裏面側に引き寄せられる。このとき、両側面２３ｅの外側片２３２ｅは内側片２３１ｅの動きに伴って外向きに広がる。
【００３３】
説明の便宜上、この実施形態では台座を省略しているが、この実施形態の紙製陳列棚には台座を設けることもできる。この場合、本発明の折畳み構造を適用した台座を設けることも、それ以外の構造を適用した台座を設けることもできる。本発明の折畳み構造を適用した台座を設ける場合、前記実施形態２や後記実施形態４に例示するような台座を設けることができる。
【００３４】
（実施形態４）
本発明の折畳み構造の第４の実施形態を、図１６〜図１９を参照して説明する。この実施形態は、本発明の折畳み構造を紙製陳列棚の台座の構造に適用した場合の例である。図１６〜図１９において、３１は本体、３２は台座、３３は支持体である。図１６〜図１９に示す例では、台座３２が本発明の回動体に相当する。以下、実施形態２と共通する部分については説明を省略又は簡略化し、実施形態２と異なる部分を中心に説明をする。なお、本体３１は実施形態２における本体１１に相当し、支持体３３は実施形態２における支持体１３に相当する。
【００３５】
前記本体３１は、台座３２や商品載せ台（図１６〜図１９には示していない）を取り付ける部分であり紙製陳列棚の基体となる部分である。本体３１には実施形態２の本体１１と同様のものを用いることができる。
【００３６】
前記本体３１の下端側には台座３２が設けられている。台座３２は本体３１を支えるベースとなる部材である。一例として図１６〜図１９に示す台座３２は、実施形態２の台座１２よりも厚い方形状の板材である。台座３２は本体３１の底面側に固着されている。台座３２の形状はこれ以外であってもよい。
【００３７】
前記支持体３３は、台座３２を所定角度以上上向きに回転しないように規制するものである。一例として図１６〜図１９に示す支持体３３は本体３１の前面に固着される本体側固着面３３ａと、本体側固着面３３ａの上端側に設けられた傾斜面３３ｃと、傾斜面３３ｃの下端側に設けられた回動面３３ｂと、回動面３３ｂの一端側に設けられた載せ台側固着面３３ｄと、本体側固着面３３ａ及び傾斜面３３ｃの幅方向外側に設けられた側面３３ｅを備えている。両側面３３ｅは本体側固着面３３ａの幅方向両外側に設けられた三角形状の内側片３３１ｅと傾斜面３３ｃの幅方向両外側に設けられた三角形状の外側片３３２ｅとで構成されている。
【００３８】
本体側固着面３３ａと傾斜面３３ｃの間には第１の折曲げ部３４ａが、傾斜面３３ｃと回動面３３ｂの間には第２の折曲げ部３４ｂが、回動面３３ｂと載せ台側固着面３３ｄの間には第３の折曲げ部３４ｃが、側面３３ｅを構成する内側片３３１ｅには頂点と底辺の中点とを結ぶ位置に第４の折曲げ部３４ｄが設けられている。外側片３３２ｅは内側片３３１ｅのうち第４の折曲げ部３４ｄよりも傾斜面３３ｃ側の面に接着固定されている。商品載せ台３２は一枚又は複数枚の紙製材料（ここでは段ボール）を折り曲げて構成することができる。
【００３９】
前記支持体３３は、図１６及び図１８のように、台座３２を所定角度（図示する例では本体３１に対して直角又は略直角となる角度）まで展開方向に回動させた際には三角柱状となる。この場合、回動面３３ｂは台座３２に固着された台座側固着面３３ｄと直線状となり、回動面３３ｂに連続する傾斜面３３ｃは斜め上向きとなる。また、両側面３３ｅは内側片３３１ｅの折曲げ部３４ｄが屈曲することなく平坦な状態となり、その内側片３３１ｅの外側に外側片３３２ｅが重なる。反対に、図１７及び図１９のように、台座３２を倒伏方向に回動させた際には、回動面３３ｂが第３の折曲げ部３４ｃで回動して下向きに引き寄せられると共に、両側面３３ｅの内側片３３１ｅが第４の折曲げ部３４ｄで屈曲して回動面３３ｂに連続する傾斜面３３ｃが台座３２の表面側に引き寄せられる。このとき、両側面３３ｅの外側片３３２ｅは内側片３３１ｅの動きに伴って外向きに広がる。
【００４０】
説明の便宜上、この実施形態では商品載せ台を省略しているが、この実施形態の紙製陳列棚には商品載せ台を設けることもできる。この場合、本発明の折畳み構造を適用した商品載せ台を設けることも、それ以外の構造を適用した商品載せ台を設けることもできる。本発明の折畳み構造を適用した商品載せ台を設ける場合、前記実施形態１や前記実施形態３に例示するような商品載せ台を設けることができる。
【００４１】
（その他の実施形態）
前記実施形態１〜４で説明した構成は、必要に応じて適宜組み合わせたり、入れ替えたりすることができる。また、一つの紙製陳列棚に異なる二以上の構成を採用することもできる。具体的には、本体と商品載せ台と台座を備えた紙製陳列棚において、商品載せ台の構造として実施形態１や２の折畳み構造を採用し、台座の構造として実施形態３や４の構造を採用することができる。商品載せ台が複数ある場合、すべての商品載せ台を同一の構造とすることもできるが、商品載せ台毎に異なる折畳み構造を採用することもできる。なお、図示は省略しているが、本発明の紙製陳列棚には陳列する（展示する）商品に応じて、任意のデザインを印刷しておくことができる。
【産業上の利用可能性】
【００４２】
本発明の折畳み構造は、紙製陳列棚の商品載せ台や台座のほか、紙製陳列棚の各種部材の構成として適用することができる。
【符号の説明】
【００４３】
１      本体
１ａ    差込みスリット
２      商品載せ台
２ａ    上面
２ｂ    底面
２ｃ    前面
２ｄ    背面
２ｅ    右側面
２ｆ    左側面
２ｇ    商品差込み孔
２ｈ    挿入片
３      支持体
３ａ    本体側固着面
３ｂ    回動面
３ｃ    傾斜面
３ｄ    載せ台側固着面
３ｅ    側面
３ｆ    第１の開口部
３ｇ    第２の開口部
４ａ    第１の折曲げ部
４ｂ    第２の折曲げ部
４ｃ    第３の折曲げ部
４ｄ    第４の折曲げ部
５ａ    本体側係止片
５ｂ    支持体側係止片
６      付勢ゴム
１１    本体
１２    台座
１３    支持体
１３ａ  本体側固着面
１３ｂ  回動面
１３ｃ  傾斜面
１３ｄ  台座側固着面
１３ｅ  側面
１３ｆ  第１の開口部
１３ｇ  第２の開口部
１４ａ  第１の折曲げ部
１４ｂ  第２の折曲げ部
１４ｃ  第３の折曲げ部
１４ｄ  第４の折曲げ部
１５ａ  本体側係止片
１５ｂ  支持体側係止片
１６    付勢ゴム
２１    本体
２１ａ  差込みスリット
２２    商品載せ台
２２ａ  上面
２２ｂ  底面
２２ｃ  前面
２２ｄ  背面
２２ｅ  右側面
２２ｆ  左側面
２２ｇ  商品差込み孔
２２ｈ  挿入片
２３    支持体
２３ａ  本体側固着面
２３ｂ  回動面
２３ｃ  傾斜面
２３ｄ  載せ台側固着面
２３ｅ  側面
２３１ｅ  内側片
２３２ｅ  外側片
２４ａ  第１の折曲げ部
２４ｂ  第２の折曲げ部
２４ｃ  第３の折曲げ部
２４ｄ  第４の折曲げ部
３１    本体
３２    台座
３３    支持体
３３ａ  本体側固着面
３３ｂ  回動面
３３ｃ  傾斜面
３３ｄ  載せ台側固着面
３３ｅ  側面
３３１ｅ  内側片
３３２ｅ  外側片
３４ａ  第１の折曲げ部
３４ｂ  第２の折曲げ部
３４ｃ  第３の折曲げ部
３４ｄ  第４の折曲げ部
Ｓ      吊り紐
【図１】
2019134900.tif 000003
【図２】
2019134900.tif 000004
【図３】
2019134900.tif 000005
【図４】
2019134900.tif 000006
【図５】
2019134900.tif 000007
【図６】
2019134900.tif 000008
【図７】
2019134900.tif 000009
【図８】
2019134900.tif 000010
【図９】
2019134900.tif 000011
【図１０】
2019134900.tif 000012
【図１１】
2019134900.tif 000013
【図１２】
2019134900.tif 000014
【図１３】
2019134900.tif 000015
【図１４】
2019134900.tif 000016
【図１５】
2019134900.tif 000017
【図１６】
2019134900.tif 000018
【図１７】
2019134900.tif 000019
【図１８】
2019134900.tif 000020
【図１９】
2019134900.tif 000021